Podtech/llm-jp-corpus-v4-ja_patent huggingface dataset:
(57)【要約】      （修正有）【課題】従来の三角バケは竿や腕で大きくシャクルため、三角バケが海中で前後左右に飛び、針が魚のどこにでも掛かり魚体に傷を付けることが多い。また潮の流れの速いときはバケが水面に浮いてしまう。【解決手段】テンテン三角バケに板金３を設けたことにより、バケが海中で前後左右に飛ぶことがなくなり、魚体に傷を付けることが少なくなる。テンテン三角バケに板金３を設けたことにより、潮のながれの早いときでも、バケが水面に浮き出ることはなく、潮の流れを気にせずに魚の付くポイントを船で自由に引きながら釣れる。【選択図】図４
2008283949.tif 000002
【特許請求の範囲】
【請求項１】
漁具のテンテン三角バケに板金を設けたことを特徴とする。
【請求項２】
テンテン三角バケの鉛の下に板金を設けたことを特徴とする「請求項１」記載のテンテン三角バケである。
【請求項３】
板金を設けたことで、マス釣りのヘラ引とヒラメのヘラ引と同じように船を前進させ、低速での引き釣りで魚を釣る事の出来るのが特徴とするテンテン三角バケである。
【発明の詳細な説明】
【０００１】この発明はヒラメなどの魚を活魚として出荷するため、魚体に傷を付けず、いかに仕掛け針に魚を食い付かせるか、いろいろと改造した結果この形態が最良の三角バケである。
【０００２】従来の三角バケの形態は竿でシャクリまた腕で大きくシャクルため、三角バケが前後左右に回転するように泳ぎ、仕掛け針が魚のどこにでも掛かり、魚体に傷が付いてしまうため製品価値が極端に下がり市場での価格にも影響をする  生け簀に入れても魚体に傷がついているため死ぬ魚が多い、また潮の流れの速いときは、水面に三角バケが浮いてしまう欠点があった。
【０００３】そこでこの発明の板金を設けたことで、手で小さくシャクルだけで回転せず流しても浮かない、魚の食い付きもよく潮の流れの無い時は、船で引きながら小さくシャクルだけで魚を捕ることの出来るテンテン三角バケを提供することを特徴としている。
【課題を解決するための手段】
【０００４】以上の課題を解決するために第１発明はテンテン三角バケの鉛の下に板金を設けたことを特徴とすること。  第２発明は、板金を設けたことにより、水の抵抗で前後左右にバケが飛ばず魚の口元に確実に仕掛け針が掛かること。
【発明の効果】
【０００５】この発明により潮の流れの速い時は流してよし、潮の流れの無い時は低速で引きながら釣ることができ、９０％以上は魚の口元に確実に掛かり魚体に傷が付かないため、小さな魚はリリースすることができる。  そのため、資源保護にも効果があり、１本釣り活魚で生活をする漁師には必要である。。
【発明を実施するための最良の形態】
【０００６】この実施形態を写真で示すように、バケの銘柄によってステンレスで鉛の部分を包んである物は半田づけをする。  鉛の物はドリルでネジ穴を空け、板金を取り付ける時に穴に接着剤を入れネジで留める。
【実施形態の効果】
【０００７】この形態の三角バケはヒラメの食い付きが特に良い。三角バケの重さは特にこだわる必要はない。。
【０００８】他の実施利用  他の利用としては、水深は自由に選び、船で引き釣りとして活用できる三角バケである。
【産業上の利用可能性】
【０００９】この板金を設けた三角バケの重さ９００グラム〜１キログラムのバケを引き釣りとして活用すれば、ブリやマグロ等大型魚にも適応する。
【図面の簡単な説明】
【図１】この発明の実施形態を示す参考写真である。
【図２】三角バケを下から見た参考写真である。
【図３】ヒラメ用の仕掛け針の参考写真でパワーワームである。ワームはやわらかい方      が良いが、またオオナゴでも良い。
【図４】この発明の実施形態を上から見た図面である。      １，三角バケの鉛の先の弓形部分の下、直線の部分から板金を設ける。      （この板金の設置位置が重要なポイントである）      ２．引き糸をつける蝶つがい。    ３．板金の厚さ２から３ミリ      ４．鉛とプラスチックの合わせ目で板金を左右横に１５ミリで留める。      ５．鉛の部分    ６．プラスチック
【図５】この発明の実施形態を下から見た図面である。      符号１．下見た板金
【図６】は９００グラムの三角バケに板金をつけて、水平に見た図である。      水に入れる前と水に入れた後の角度の調整で蝶つがいに糸を付け、バランスを      見る［図６］は水に入れる前。      （符号１）糸    （符号２）蝶つがい    （符号３）バケの仕掛け針の付元で       ８センチ下げるとよい。
【図７】は水に入っている時の形で、三角バケの先の部分が水平より３ｃｍ下がる。
【図１】
2008283949.tif 000003
【図２】
2008283949.tif 000004
【図３】
2008283949.tif 000005
【図４】
2008283949.tif 000006
【図５】
2008283949.tif 000007
【図６】
2008283949.tif 000008
【図７】
2008283949.tif 000009
(57)【要約】【課題】茎切り専用の道具が無いため、カマやハサミや苅り払い機・草刈機で代用しているが、不便きわまりない。地面の固いところに限定されたり、地面より浮かして使用するため、肩掛けとハンドルか持ち手でしっかりコントロールしなければならない欠点がある。中腰や振り回すため腰痛に悩まされているのが現状だ。大農園ではコンバインがあるが、中小規模の畑では使えない。【解決手段】そこで、苅り払い機の補助具の発明により、肩掛けがあれば、杖のように絶えず地面に苅り払い機の苅刃が着いており、コントロールの必要はなく、土を削ることもなく、安定したスピーディな作業が出来る。又、作業が軽減され腰痛や肩痛に悩まされることもなく、地面の固さや茎の堅さに関係なく作業が出来る。図で示せば、苅り払い機（図１）の苅刃（５）を補助具本体（１）で保護カバーし、その補助具本体（１）の底で杖替わりに地面（７）の上をすべらし苅りながら進めばよい。【選択図】図１
2008283954.tif 000002
【特許請求の範囲】
【請求項１】
苅り払い機の苅刃の止め具にネジを切り、その下に円盤の保護カバーをネジ止めでつけた。以上の如く構成された茎切り用補助具。
【請求項２】
苅刃の止め具にネジのかわりに突起をつけ、円盤に溝を付けたワンタッチ具でもよい。以上の如く構成された茎切り用補助具。
【請求項３】
苅り払い機の替わりに草刈機でもバリカンに付けてもよい。
【発明の詳細な説明】
【技術分野】
【０００１】  本発明は、豆など茎切りに関するものであり、苅り払い機の苅刃に工夫を加えることにより苅刃保護カバーが杖のようになることを特徴とし、力がいらずスムーズに作業が出来、疲労が少なく軽減出来る茎切り用補助具。
【背景技術】
【０００２】  従来の黒豆等硬い作物を刈り取るには、カマかはさみか苅り払い機・草刈機による方法だが、決定的な解決策は無かった。
【発明の開示】
【発明が解決しょうとする課題】
【０００３】  しかし、茎切り専用の道具が無いため、不便である。従来のようなカマ・挟みは中腰の作業で腰痛に悩み骨が折れる。現在草刈機・苅り払い機が一番最上であり、普及しているが肩掛けとハンドルか持ち手でカバーしているので草を刈るには最適だが、土を削らぬよう、出来るだけ根本から苅るように設計されている。よって苅刃を止め金具で直接止めているので苅刃の下に保護具が無く石・土を削らぬよう浮かす必要があり、肩ひもとハンドルなど手で支えなければならない。これが腰痛・肩痛の原因になっている。黒豆等硬い茎を切る作業を軽減するには、苅り刃そのものを地面に接しておく必要があるが、それが出来ないのが欠点だ。芝苅り機は、キャスターの台車はあるが、芝草など柔らかい葉が専用であり、地面が固い所は車輪でも良いが、畑の畝のような柔らかい土壌には不向きだ。これらの欠点を補うために発明されたものである。
【課題を解決するための手段】
【０００４】  そこで、苅刃を下から保護をし、苅り払い機そのものを杖の様に支えながら作業をするので、腰痛や肩痛になりにくく、作業が軽減でき、疲労も少なく、地面の固い柔らかいが関係なく作業の出来る茎切り用補助具の発明だ。図で説明するならば、図１の苅り払い機の苅刃（５）を補助具本体（１）を取り付けて地面（７）に着けて支えればよい。
【発明の効果】
【０００５】  本発明により、両手が手空きになり添えるだけでよく、茎だけ正確に刈り取りが出来、収穫がスピード化し、肩ひもと補助具の支えだけに力が加わるだけなので従来のものより作業・疲労が軽減できる。
【発明を実施するための最良の形態】
【０００６】  本発明に係る茎切り用補助具（１）は、苅り払い機の苅刃（５）の止め金具の外側に凸ネジ（３）を切り補助具の内側に凹ネジ（２）を切り、回して取り付ける。以上の如く、構成された茎切り用補助具。各メーカーの棒状の苅り払い機・草刈機・芝苅り機も同様の形式で取り付けられる。【０００７】  本発明を使用にするにあたり、苅り払い機の苅刃（５）の止め金具の外側の凸ネジ（３）に補助具本体（１）の内側につけた凹ネジ（２）を合わせ、回してセット、地面（７）を杖のようにしてこすりながら苅り進む。
【産業上の利用可能性】
【０００８】  本発明に係る茎切り用補助具は、工業的に量産する事が可能なため、産業上の利用可能性を有する。
【図面の簡単な説明】
【０００９】
【図１】斜視図
【図２】平面図
【図３】底面図
【図４】側面図
【図５】セットした斜視図
【図６】セットした断面図  本発明の簡単な図である。
【図７】カマ
【図８】ハサミ
【図９】苅り払い機
【図１０】草刈機
【図１１】芝苅り機  図７〜図１１は従来の茎切り道具である。
【符号の説明】
【００１０】    １本体茎切り用補助具
２補助具の凹ネジ
３苅刃止め凸ネジ
４ナット
５苅刃
６苅り払い機の棹
７地面
【図１】
2008283954.tif 000003
【図２】
2008283954.tif 000004
【図３】
2008283954.tif 000005
【図４】
2008283954.tif 000006
【図５】
2008283954.tif 000007
【図６】
2008283954.tif 000008
【図７】
2008283954.tif 000009
【図８】
2008283954.tif 000010
【図９】
2008283954.tif 000011
【図１０】
2008283954.tif 000012
【図１１】
2008283954.tif 000013
(57)【要約】      （修正有）【課題】ダンゴ魚釣りのとき、正確に、静かに同じ場所に投入するようにした、魚釣りダンゴの落とし込み具を提供する。【解決手段】玉網の柄に通す筒１、円筒用のチョウツガイ２、ダンゴの受け皿３、チョウツガイの脱着用金具４、チョウツガイの脱着用金具４とガイド用筒５を取り付けたことを特徴とする。【選択図】図２
2008283956.tif 000002
【特許請求の範囲】
【請求項１】
玉網の柄に通す筒（１）に円筒用のチョウツガイ（２）を装着し、円筒用のチョウツガイ（２）の下半分に、ダンゴの受け皿（３）を装着し、チョウツガイの脱着用金具（４）とガイド用筒（５）を取り付けた魚釣りダンゴの落とし込み具。
【発明の詳細な説明】
【技術分野】
【０００１】  この発明は、ダンゴ魚釣りのとき、正確に、静かに同じ場所に投入するようにした、魚釣りダンゴの落とし込み具に関するものである。
【背景技術】
【０００２】  従来、「ダンゴ釣りのツボは必ず同じ場所に投入して、寄せた魚を散らさない。」と言われていましたが、人の影を見ても逃げる魚に対して投げ入れていては、静かに目的の位置に正確に投入することはできなかった。
【発明の開示】
【発明が解決しようとする課題】
【０００３】  これは次のような欠点があった。
（イ）人の手で投げ込んでいては、正確に同じ場所には投入できない。
（ロ）水面に着水するまでに、ダンゴが割れることもあった。
（ハ）ダンゴの着水音で、寄せた魚を散らしていた。
（ニ）餌の飛散など、他の釣り人や、釣り場の環境に悪影響を及ぼしていた。
本発明は、以上のような欠点をなくすためになされたものである。
【課題を解決するための手段】
【０００４】  玉網の柄に通す筒（１）、円筒用のチョウツガイ（２）、ダンゴの受け皿（３）、チョウツガイの脱着用金具（４）、チョウツガイの脱着用金具（４）のガイド用筒（５）を取り付ける。
本発明は、以上の構成よりなる魚釣りダンゴの落とし込み具である。
【発明の効果】
【０００５】  玉あみの枠を柄からはずし、本具の玉網の柄に通す筒（１）に玉あみの柄に差込むだけで、装着は終了し、本具を使用することにより以下の効果が生まれる。
（イ）正確に同じ場所にダンゴを投入できる。
（ロ）水面に着水するまでに、ダンゴが割れることはない。
（ハ）着水音がしないので魚を寄せた魚を散らさない。
（ニ）餌の飛散がなく、他の釣り人や、釣り場の環境に悪影響を及ぼさない。
本発明は、環境にもやさしい、釣果の期待できる釣具である。
【発明を実施するための最良の形態】
【０００６】  以下、本発明を実施するための最良の形態について説明する。
玉網の柄に通す筒（１）に円筒用のチョウツガイ（２）を装着し、円筒用のチョウツガイ（２）の下半分に、ダンゴの受け皿（３）を装着する。チョウツガイの脱着用金具（４）を差し込んだチョウツガイの脱着用金具（４）のガイド用筒（５）を取り付ける。
本発明は、以上のような構造でこれを使用するときは、玉あみの枠を柄からはずし、本具の玉網の柄に通す筒（１）に玉あみの柄に差込むだけで、装着は終了する。本具を使用するときはダンゴの受け皿（３）にダンゴをいれ、チョウツガイの脱着用金具（４）で円筒用のチョウツガイ（２）を閉め、玉網の柄を持ち上げ、玉網を目的の位置に置くと本具が移動し、玉網の枠がストッパーとなり、チョウツガイの脱着用金具（４）の先端の部が玉網の枠に当たると、チョウツガイの脱着用金具（４）末端の金具が押し出され、円筒用のチョウツガイ（２）が開きダンゴが自然落下する。
【図面の簡単な説明】
【０００７】
【図１】本発明の分解斜視図である。
【図２】本発明の斜視図である。
【符号の説明】
【０００８】１  玉網の柄に通す筒
２  円筒用のチョウツガイ
３  ダンゴの受け皿
４  チョウツガイの脱着用金具
５  チョウツガイの脱着用金具のガイド用筒
【図１】
2008283956.tif 000003
【図２】
2008283956.tif 000004
(57)【要約】【課題】  水分量が多いなど保形性の悪い具材においても包餡時の作業性がよく、ジューシーな食感と旨味成分を閉じこめた包皮食品の製造方法を提供する。【解決手段】  生地により形成された外包材内に内包される具材を、食することが出来る袋状のものに充填し開口部を閉じたものを外包材にて包むことで、水分量が多い、粘度が低いなど、保形性の悪い具材でも、包餡時に包皮からこぼれることなく包餡できるようにしたものである。【選択図】図１
2008283955.tif 000002
【特許請求の範囲】
【請求項１】
袋状の食品に饅頭の内包具材を充填し開口部を閉じた後、生地にて包餡する事を特徴とする製造方法
【請求項２】
請求項１にある製造工程の中で生産される、袋状の食品に饅頭の内包具材を充填したものに、燻煙や調味液への漬け込みなどの処理をすることで嗜好性の高い風味をつけることが出来る、また、袋状の食品の種類・素材・サイズを変える、又は加工することで、内包材の食感に変化を加えることが出来る製造方法
【発明の詳細な説明】
【技術分野】
【０００１】  本発明は、大掛りな製造装置を要せずに、生産性よく、肉饅頭等の中華饅頭、調理パン等の加工食品を得ることができる、各種加工食品において外包材に包含される内包物の製造方法、並びに饅頭の製造方法に関する。
【背景技術】
【０００２】  肉まんなどの仕上がりをジューシーで食感が良く仕上げるためにスープなどの水分を添加し含水量を上げることは一般的な調理方法であるが、単に水分を添加すると保形性が下がり餡が崩れてしまい包餡が困難になった。そのため、内包具材の保形成を上げるためにゲル化剤や乳化剤を使用し保形性を上げることは広く使われている。しかし、消費者のニーズの多様化が進み、健康嗜好の高まりから添加物の使用を控えた食品が求められている。また包餡機の中には含水量が高く保形性の悪い餡でも包餡できるものもあるが。包餡機などの設置には、生産規模、作業スペースの問題、設備導入の資金などの問題が大きく導入に至らないことが多かった。
【発明の開示】
【発明が解決しようとする課題】
【０００３】  水分量が多いなど保形性の悪い具材においても改良剤などの添加物を加えることなく包餡時の作業性がよく、ジューシーな食感と旨味成分を閉じこめた包皮食品の製造方法を提供する。
【課題を解決するための手段】
【０００４】  生地により形成された外包材内に内包される具材を、袋状の食品に充填し開口部を閉じた後、外包材にて包むことで、保形性の悪い具材でも、包餡時に外包材からこぼれることなく包餡できるようにしたものである
【発明の効果】
【０００５】  饅頭の包餡作業には熟練した技術が必要とされ、包餡機は作業者に対する技術負担を軽減させたが、導入には資金、設置場所、また、まとまった生産数量がないと、機械の洗浄や準備で逆に効率が悪くなってしまうなどの問題があり、個人店規模の生産には不向きであった。本発明により大掛りな製造装置を要せず包餡作業が容易になり、作業者に対する技術負担を軽減及び生産効率を上げることが出来る。さらに、必要に応じて、充填機、分割機、製延機、などを導入し自動化する工程を増やすことにより生産量の拡大も図ることができる。
【発明を実施するための最良の形態】
【０００６】  本発明の製造方法は、内包される具材を袋状の食品に充填し密封したものを生地により形成された外包材によって包含することを特徴とする。
【実施例１】    以下、本発明を実施例により更に具体的に説明するが、本発明はこれらに制限されるものではない。部は重量部を示す。【０００７】  下記の組成は一般的な肉まんの餡の具材の処方で、その具材に対して２Ｐａ・ｓ（１３℃）程度の粘度（トマトジュース程度）に調整した中華だしスープを実験区ごとに添加量を変えて加え保形力の異なる餡を得た。【０００８】  豚肉ミンチ  １００部  野菜（タマネギ  白菜  タケノコ  椎茸）７０部  調味液１７．５部  でんぷん  ５部。この組成に対し実験区１は中華だしスープを３０部、実験区２は中華だしスープを５０部、実験区３は中華だしスープを１００部加えた。【０００９】  今回、請求項１にある袋状の食品としては比較テストのため２１／２３の羊腸に統一する。通常は内包具材内包材の加熱後の硬さや、また求められる食感によって袋状の食品の種類、その厚さ・大きさ、材質を変更し、性質を変えるための加工などをする。【００１０】  ２１／２３の羊腸に実験区１、実験区２、実験区３、さらに、実験区４として一般的に市販されているフカヒレスープをそれぞれ充填し開口部を閉じた。それらに対して比較実験のため羊腸に充填していないそれぞれの具材、対象区１、対象区２、対象区３を用意した。さらに実験区１、実験区２については、請求項２にある燻煙処理を行った。【００１１】  以上、上記によって得られた内包材を通常の蒸し饅頭用の生地で包み、常法に従って蒸して饅頭を得た。【００１２】  以上の結果からまず作業性について、実験区１、実験区２、実験区３については、作業性が確実に向上し、包餡技術の熟達していない作業者でも包むことが出来た。実験区４についても取り扱いに気を使うが包餡は可能であった。これに対し、対象区１については、具材がはみ出てしまうことに気をつければ、ある程度の修練を重ねれば包餡は可能だが、対象区２になると熟練した技術者のみが可能となり、対象区３になると熟練者においても包餡に失敗することがあった。【００１３】  包餡時の作業速度においては、通常餡を包むときは餡ベラ等で餡をすくい生地の上に乗せ場合によっては押し込みながら包餡するが、羊腸等に詰めてあれば直に手で持っても餡で手を汚すこともないので、生地を餡で汚すことなく包餡できるので包餡時の作業速度を上げることが出来た。また包餡作業時、餡を取り分ける作業と包む作業を分業することが容易になるので作業効率を上げることにもなった。【００１４】  燻煙薫処理をしたものについては饅頭の官能評価は良好であり。嗜好性を向上させた。
【実施例２】
【００１５】  請求項１にある袋状の食品としては、油揚げ、羊などの動物の腸や、人工ケーシング等様々ものがあげられるが、内包具材の加熱後の硬さや、また求められる食感によって袋状の食品の種類、その厚さ・大きさ、材質を変更し、性質を変えるための加工などをする。例えば、充填後、袋状の食品の表面を瞬間的に高熱処理をして性質を変えたり、タンパク質分解酵素に一定時間漬け性質を変えたり、針により必要量の穴をあけることで歯切れのよさを調節したり、袋自体の材質に加水・加熱により溶けたり強度が変化する素材を使うなど、饅頭の餡として好ましい食感を得ることができる。さらに、袋状の食品の開発により新たな食感の製品の開発が可能になる。
【産業上の利用可能性】
【図面の簡単な説明】
【００１６】
【図１】本発明に係る饅頭の断面図である。
【符号の説明】
【００１７】      １  外包材
２  袋状の食品
３  内包具材
【図１】
2008283955.tif 000003
(57)【要約】【課題】施工現場において作業効率の大幅な向上を図ることのできる分電盤を提供することを目的としている。【解決手段】本発明に係る分電盤８は、レール１はキャビネット５の背面に設けた固定金具６で支持し、固定金具６には長孔６ｃを設けると共に、レール１には挿通孔１ａを設け、長孔６ｃと挿通孔１ａにそれぞれ固定ねじ７を挿通し、レール１をキャビネット５に、長孔６ｃの範囲内で任意の位置で固定可能としたことを特徴とする。【選択図】図２
2008283797.tif 000002
【特許請求の範囲】
【請求項１】
左右に敷設したレールに機器取り付け板を渡し、該機器取り付け板上に主幹ブレーカ・分岐ブレーカを配列し、前記ブレーカ間を導体により接続して成る内機をキャビネットに収めて構成される分電盤であって、前記レールは前記キャビネットの背面に設けた固定金具で支持し、該固定金具には長孔を設けると共に、前記レールには挿通孔を設け、前記長孔と挿通孔にそれぞれ固定ねじを挿通し、前記レールを前記キャビネットに固定可能としたことを特徴とする分電盤。
【発明の詳細な説明】
【技術分野】
【０００１】
本発明は、左右に敷設したレールに機器取り付け板を渡し、機器取り付け板上に主幹ブレーカ・分岐ブレーカを配列し、ブレーカ間を導体により接続して成る内機をキャビネットに収めて構成される分電盤に関するものである。
【背景技術】
【０００２】
分電盤３１は内機３２をキャビネット３３に収納して構成される。内機３２は、レール３４に機器取り付け板３５を渡し機器取り付け板３５上にブレーカ等の電気機器３６を配置して成る。内機３２はキャビネット３３のほぼ中央になるように、レール３４をキャビネット３３に固定し配置していた。キャビネット３３の壁面３３ａと内機３２との間のスペースを配線スペースとして用い、電気機器間の配線等はその配線スペースに収納されていた。
【非特許文献１】２００５カワムラ総合カタログ電設資材編  平成１７年５月１日発行
【発明の開示】
【発明が解決しようとする課題】
【０００３】
しかしながら、電線３７は、幹線用の電線と分岐用の電線とで電線サイズに差があり、幹線用の電線が集まると分岐用の電線の集合体に比べ、かなり電線の占有面積が大きくなるものであるが、上記背景技術における分電盤３１では、施工現場で内機３２の配線作業を行うとき、内機３２を構成するレール３４はキャビネット３３に固定されているため、左右に同程度に設けられた配線スペースへの電線３７の収納量に偏りが出た場合、電線３７を整理して収納したり手間をかけ、作業が困難となる場合があった。
【課題を解決するための手段】
【０００４】
そこで本発明は、施工現場において作業効率の大幅な向上を図る分電盤を提供することを目的とし、その構造は、レールはキャビネットの背面に設けた固定金具で支持し、固定金具には長孔を設けると共に、レールには挿通孔を設け、長孔と挿通孔にそれぞれ固定ねじを挿通し、レールをキャビネットに固定可能としたことを特徴とする。
【発明の効果】
【０００５】
本発明に係る分電盤は、レールはキャビネットの背面に設けた固定金具で支持し、固定金具には長孔を設けると共に、レールには挿通孔を設け、長孔と挿通孔にそれぞれ固定ねじを挿通し、レールをキャビネットに固定可能としたため、施工現場での電線の配線作業の効率が大幅に向上し、作業性の非常に高い分電盤を提供することができる。
【発明を実施するための最良の形態】
【０００６】
本発明に係る分電盤の実施例を図１〜図３の添付図面に基づいて説明する。
【０００７】
左右に敷設したレール１に機器取り付け板２を渡し、機器取り付け板２には主幹ブレーカ３ａや分岐ブレーカ３ｂ等の電気機器３を配置し内機４を構成する。キャビネット５の背面には固定金具６を設ける。固定金具６は、断面略Ｌ字状に折曲し、取り付け部６ａと支持部６ｂとを形成する。取り付け部６ａをキャビネット５の背面に溶接等により固定する。支持部６ｂには長孔６ｃを設ける。レール１にも挿通孔１ａを設けている。レール１は、長孔６ｃと挿通孔１ａとにそれぞれ固定ねじ７を挿通し締め付けて固定金具６に固定する。
【０００８】
分電盤９では上方に主幹ブレーカ３ａを配置し、主幹ブレーカ３ａの下方に分岐ブレーカ３ｂを左右に分けて配列することが多く、電気機器３間は電線や導電バー１０等により接続される。キャビネット５の壁面５ａとブレーカ等の電気機器３との間のスペースを配線スペースとして用いる。分電盤８が組み立てられるときに、配線のための電線量がそれぞれわかっていれば、それぞれに適合するように配線スペースを確保することもできるが、配線作業は施工現場にて行われるため、予めそれぞれの配線スペースを確保しておくことは困難であった。
【０００９】
レール１の固定金具６への固定位置は、長孔６ｃの範囲内において変更可能である。固定ねじ７を緩めた状態で左右に移動が可能である。
【００１０】
幹線用の電線と分岐用の電線とで電線サイズに差があり、幹線用の電線が集まると分岐用の電線の集合体に比べ、かなり電線の占有面積が大きくなるものである。施工現場で内機の配線作業を行うとき、内機４を構成するレール１は、固定金具６の長孔６ｃの範囲で移動可能であるので、電線を多く収納したい側には配線スペースを多く確保できるようにレール１を左右に移動させる。
【００１１】
図１や図２においては固定金具６に長孔６ｃを設けているが、例えば複数の固定穴を設けたり（図示せず）、図３に示すように、固定金具１１の支持部１１ａには穴は設けず、支持部１１ａの上端にレール１２を係止させ、レール１２が支持部１１ａ上を移動するという形状でもよく、本発明の趣旨を逸脱しない範囲において適宜変更可能である。
【産業上の利用可能性】
【００１２】
本発明に係る分電盤では、分電盤に敷設されるレールの固定位置を可動とすることで、その都度異なる電線の占有面積に施工現場で対応でき、作業性のよい分電盤が提供できる。
【図面の簡単な説明】
【００１３】
【図１】分電盤を示す説明図である。
【図２】図１に電線を組み付けた状態を示す説明図である。
【図３】分電盤の変形実施例を示す説明図である。
【図４】従来の分電盤を示す説明図である。
【符号の説明】
【００１４】
１      レール
２      機器取り付け板
３      電気機器
３ａ    主幹ブレーカ
３ｂ    分岐ブレーカ
４      内機
５      キャビネット
５ａ    壁面
６      固定金具
６ａ    取り付け部
６ｂ    支持部
６ｃ    長孔
７      固定ねじ
８      分電盤
１１    固定金具
１１ａ  支持部
１２    レール
【図１】
2008283797.tif 000003
【図２】
2008283797.tif 000004
【図３】
2008283797.tif 000005
【図４】
2008283797.tif 000006
(57)【要約】      （修正有）【課題】鍵などにつけたキーホルダーは自動的に鈴が鳴るわけではないので気付く事が出来ず、特に鍵など小さい物に関しては見つけるのが困難で、紛失する事が多い。【解決手段】キーホルダーに受信機を装着し、携帯電話に発信機を取り付けた為、なくした時に携帯電話で発信し、受信したキーホルダーから光ると同時にメロディが鳴り、その場所を見つける事が出来る。【選択図】図１
2008018205.tif 000002
【特許請求の範囲】
【請求項１】
キーホルダーにワイヤレス受信機を装着したことを特徴とするキーホルダー。
【請求項２】
携帯電話からワイヤレスにて発信する事で光ると同時にメロディを鳴らし、キーホルダーを置き忘れても発見する事が出来ることを特徴とする請求項１記載の発信機を装着した携帯電話。
【発明の詳細な説明】
【技術分野】
【０００１】  この発明は、鍵を付けてあるキーホルダー等の置き忘れ及び紛失防止に関する。
【背景技術】
【０００２】  従来のキーホルダーは鈴などをつける事により、落としても気付く事が出来る。
【発明の開示】
【発明が解決しようとする課題】
【０００３】しかしながら、以上の技術によれば、置き忘れた時には自動的に鈴が鳴るわけではないので気付く事が出来ず、特に鍵など小さい物に関しては見つけるのが困難で、紛失する事が多かった。
そこで、この発明は、置いた場所を忘れてしまっても携帯から発信する事によって小さい物に関わらず、財布やカバンでも高い確率で見つける事が出来るキーホルダーを提供することを課題とする。
【課題を解決するための手段】
【０００４】  以上の課題を解決するために、第一発明は、キーホルダーにワイヤレス受信機を装着したことを特徴とするキーホルダーである。
また、第二発明は、携帯電話にワイヤレスにてキーホルダーへ発信する装置を装着することを特徴とするワイヤレス付き携帯電話である。
【発明の効果】
【０００５】第一発明、第二発明によれば、キーホルダーに受信機、携帯電話に送信機を取り付けたので、鍵や財布にそのキーホルダーをつけておけば、置き忘れた際に携帯で発信し、その場所を見つける事が出来る。
【発明を実施するための最良の形態】
【０００６】  この発明の一実施形態を、図１に示す。
【図面の簡単な説明】
【０００７】
【図１】  全体図
【図１】
2008018205.tif 000003
(57)【要約】      （修正有）【課題】  合成樹脂シート材からなる履物であって、靴底を有し、胴部はストレート、又は、ジャバラ構造、リブ構造になり伸縮自在、強度を高める履物を提供する。【解決手段】  合成樹脂シートからなる履物１であって、靴底３を有する靴部の上方に胴部２を有し、胴部はストレート２ａ、又は、ジャバラ構造により伸縮自在とする履物を履き、そのまま浴槽に入り、そのまま出て体を洗い、石鹸や泡を落としてそのまま浴槽に入り、体が暖まったらそのまま出る。以上の入浴方法で素足と体を暖める履物。【選択図】図１
2008018202.tif 000002
【特許請求の範囲】
【請求項１】
合成樹脂シート材からなる履物であって、靴底を有する靴部の上方がストレート、又は、ジャバラ構造により伸縮自在とする履物を履き、そのまま浴槽に入り、そのまま出て体を洗い、石鹸や泡を落としてそのまま浴槽に入り、体が暖まったらそのまま出る。以上よりなる浴室内で素足を暖める履物。
【発明の詳細な説明】
【技術分野】
【０００１】  合成樹脂シート材からなる履物であって、靴底を有し、胴部はストレート、又は、ジャバラ構造によって伸縮自在とする浴室内で素足を暖める履物である。
【背景技術】
【０００２】  従来、浴室ではタイル床にスノコやマットを敷いているが、スノコやマットの上を素足で歩いて浴槽に入り、浴槽から出た後も素足でスノコやマットの上を歩いていた。
【発明の開示】
【発明が解決しようとする課題】
【０００３】  そのために、次のような問題点があった。
（イ）冷え性の人には、タイルの上に素足で降りるのは、大きな苦痛があった。
（ロ）従来よりスノコやマットを敷いたりしていたが、スノコにしてもマットにしても、２〜３日経つと裏側がベトベトと不衛生極まりなかったし、どれも体を暖める効果はなかった。
（ハ）浴室から出ても、直ぐに体が冷えて風呂に入った気がしなかった。
（ニ）水道、ガス、電気、灯油代等の出費が全くの無駄であった。
（ホ）地球温暖化防止に大きく逆行していた。
【課題を解決する手段】
【０００４】  合成樹脂シート材からなる履物であって、靴底を有する靴部の上方がストレート、又は、ジャバラ構造により伸縮自在とする履物を履き、そのまま浴槽に入り、そのまま出て体を洗い、石鹸や泡を落としてそのまま浴槽に入り、体が暖まったらそのまま出る。以上の入浴方法で素足と体が暖まる履物である。
【発明の効果】
【０００５】  本発明を使用することによって、体は芯から暖まり、経済効果も大きくプラスになり、地球温暖化防止にも大きく寄与できる。
【発明を実施する為の最良の形態】
【０００６】    以下、本発明の実施の形態について説明する。
（イ）合成樹脂シート材本体（１）からなる胴部ストレート（２）、又は、ジャバラ（２）の厚みも、６ミリ以上とし、胴部（２）は又別の構造として、又胴部（２）の表面に縦長の凸状からなるリブを複数設けて、リブ付き胴部（２ｃ）とする事ができる。
（ロ）靴底材（３）は、濡れたタイルの上でも滑らない材料で加工する。
（ハ）履き口上部（５）は、ふちに丸みを施す。
本発明は以上の構成でこの履物を使用する時は、浴室のドアを開け、合成樹脂シート材（１）で加工された履物を履き、その中に湯を入れる。掛け湯をし、そのまま浴槽に入る。体が暖まったらそのまま浴槽から出て体を洗う。洗い終えたら体のシャボンを落とし、且つ、履物内の石鹸や泡も完全に洗い落として履き、そのまま浴槽に入る。体が暖まったらそのまま出る。タイルの上で体を拭い、ドアを開け、片足の履物を脱ぎ、湯滴を拭き取り床に敷かれたマットの上へ、もう片方の履物を脱ぎ、湯滴を拭き取りマットの上へ、と以上の入浴方法で使用する足元と体を暖める履物。
【図面の簡単な説明】
【０００７】
【図１】本発明の斜視図
【図２】本発明の斜視図
【図３】本発明の他の実施例を示す斜視図
【図４】本発明の他の実施例を示す平面図
【符号の説明】
【０００８】１    合成樹脂シート材からなる履物
２ａ  ストレート胴部
２ｂ  ジャバラ胴部
２ｃ  リブ付き胴部
３    靴底
４    履き口
５    ふち
６    リブ
【図１】
2008018202.tif 000003
【図２】
2008018202.tif 000004
【図３】
2008018202.tif 000005
【図４】
2008018202.tif 000006
(57)【要約】【課題】  ２４時間中の排便・排尿のリアルタイムの処理と、その処理の円滑かつ確実性を求められる機能は、人体的・物理的に検出できるセンサーとの組合せにより実現出来る。その為に検出器は大切なファクターです。また施設で起こりえる細菌感染などの危険防止の為に、殺菌システムを構築したい。【解決手段】  そのために、利用されるのが光センサーや電極および腹筋動センサーで、これらを適所で使うことで初めて実現できるものです。  汚物の処理の為に人体には、アルカリ水での洗浄と酸性水での殺菌、汚物槽にはオゾンでの殺菌と殺菌灯によるオゾンの中和をシステム化する。【選択図】図１
2008018204.tif 000002
【特許請求の範囲】
【請求項１】
排便行為検出器として、オムツに光センサーを取付けた装置。
【請求項２】
排尿行為検出器として電極を取付けた装置。
【請求項３】
上記請求項１，２と腹筋動検知センサーの組合せで、排出洗浄装置を作動させるシステム。
【請求項４】
水の電気分解装置と塩を使用して、消毒用酸性水と洗浄用の弱アルカリ水（洗浄殺菌水）を送水する装置。
【請求項５】
銀放電板を用いた高電圧放電器によりオゾンを発生させ、汚物槽を殺菌・脱臭させるオゾン発生装置。
【請求項６】
排便・排尿時の尿便と洗浄殺菌水を使用する際、体とオムツを空気により密着させるシステム
【発明の詳細な説明】
【技術分野】
【０００１】  本発明は老人・病人で用便の自立が出来ないものを対象とした、洗浄・殺菌・脱臭装置である。
【背景技術】
【０００２】  従来大便・小便用のオムツやその汚物の強制吸引装置があります。【０００３】  これらの用品・装置は介護者の手間を省くことに重点が置かれ、決して被介護人の希望とは必ずしも一致したものでは有りません。
【特許文献１】特許第３０７７０８５、特開２００４−１３５９６２  特開２００５−１９２９７３
【非特許文献１】ＭＣメディカ出版「らくらく排泄ケア」
【発明の開示】
【発明が解決しようとする課題】
【０００４】  被介護人が望むことは違和感・痛み・かゆさ・恥ずかしさなどを解消したいということである。【０００５】  その一方で、最近などの感染の危険を回避する必要がある。【０００６】  それと共に汚物の臭いを解決させたい。。【０００７】  もちろん２４時間装着したオムツでの水分の漏れ・皮膚への圧迫・排便排尿処理の速やかな対応を条件とする。
【課題を解決するための手段】
【０００８】  排便にあたっては、排便行為の検出として放尿時の力み検出を腹筋動センサーを使うと共に、光センサーで異物の存在を検出しＯＲ回路にて洗浄・殺菌装置を作動させる。  図１【０００９】  排尿にあたっては、排便行為の検出と同じ腹筋動センサーを水分検出の高感度電極と組合せてＯＲ回路にて洗浄・殺菌装置を作動させる。  図１【００１０】  作動指令後はまず排便・排尿を移送させる。【００１１】  その後、弱アルカリ水にて洗浄し、【００１２】  洗浄後、酸性水にて殺菌する。【００１３】  酸性水は水道水の残留塩素分のＰＨを持っていますが、井戸水などでは効果は望めません。【００１４】  洗浄水と汚物は汚物貯槽に溜まる為、その殺菌と消臭として、貯槽内に低オゾンガスを発生させる。  図４【００１５】  オゾンによる殺菌効果量は図５で示される。【００１６】  密閉貯槽内ではオゾン量は少なくとも、２４時間の暴露があり十分殺菌できる。【００１７】  汚物槽の開閉時にオゾンの影響でむせる事があり、それを防ぐために紫外線の殺菌灯でオゾンを分解させます。【００１８】  オゾンの分解は６０秒でよい。【００１９】  汚物槽の開閉前１分間殺菌灯スイッチで照射する。【００２０】  オムツは被介護人が辛いファクターであり、違和感がないのが一番です。【００２１】  その為、通常はゆるく装着させ、装置作動時のみ締付けることとする。【００２２】  締付け方法はオムツの端にゴム管を取付け、空気を圧送することにより膨らませる。  図６【００２３】  以上を一体としたユニットで課題を解決する。  図２、図３
【図面の簡単な説明】
【００２４】
【図１】  排便・排尿検出器取付図
【図２】  装置全体図
【図３】  システム系統図
【図４】  汚物貯槽殺菌消臭装置（オゾン発生器）概念図
【図５】  殺菌率計算式
【図６】  オムツ締付けシステムズ
【符号の説明】
【００２５】▲１▼    装置本体
▲２▼    汚物貯槽
▲３▼    洗浄水用電気分解装置
▲４▼    排尿・排便ポンプ
▲５▼    洗浄水ポンプ
▲６▼    洗浄水・乾燥空気切替電磁弁
▲７▼    酸性水／弱アルカリ水切替弁
▲８▼    排便用光センサー
▲９▼    排尿検出用電極
▲１０▼  電源装置
▲１１▼  制御装置
▲１２▼  圧力スイッチ
▲１３▼  電気分解極板
▲１４▼  圧縮空気ポンプ
▲１５▼  圧縮空気槽
▲１６▼  空気切換弁
▲１７▼  腹筋力検知センサー
▲１８▼  酸性水配管
▲１９▼  弱アルカリ水配管
▲２０▼  放電回路
２１      トランス
２２      放電板（銀製）
２３      放電突針（銀製）
２４      銅管８ｍｍ
２５      プチブルゴム管（３５ｍｍ）
２６      空気管（ゴム６ｍｍ）
２７      空気ヘッダー
【図１】
2008018204.tif 000003
【図２】
2008018204.tif 000004
【図３】
2008018204.tif 000005
【図４】
2008018204.tif 000006
【図５】
2008018204.tif 000007
【図６】
2008018204.tif 000008
(57)【要約】【課題】  ゴムやアルミホイールで造られた円筒型の風船に空気より軽い気体、たとえばヘリウムガスを充填し、これを凧の上部に装着した風船凧を提供する。【解決手段】  ゴムやアルミホイールで造られた円筒型の風船に空気より軽い気体、たとえばヘリウムガスなどを充填し、これを凧の上部に装着したことを特徴とする風船凧。【選択図】図１
2008018210.tif 000002
【特許請求の範囲】
【請求項１】
ヘリウムガスなど空気より軽い気体を充填した風船を凧に装着したことを特徴とする風船凧。
【発明の詳細な説明】
【技術分野】
【０００１】  本発明は、風船凧に関するものである。
【背景技術】
【０００２】従来、風圧で揚がる凧があった。
【発明の開示】
【発明が解決しようとする課題】
【０００３】そのために、次のような問題点があった。
（イ）風が吹いていないと凧が揚がらない。
（ロ）走らないと凧はなかなか揚がらない。
（ハ）幼児が凧を揚げることは大変難しい。
（ニ）１０メートルくらいの短い凧糸で凧を揚げるのは困難。
本発明は、これらの問題点を解決するためになされたものである。
【問題を解決するための手段】
【０００４】凧の上部にヘリウムガスなどを充填した筒型の風船を装着したことを特徴とする風船凧。
【発明の効果】
【０００５】（イ）凧の上部にヘリウムガスを充填した、筒型の風船を装着しているので、風がなくても風船が揚がる。
（ロ）凧の上部にヘリウムガスなどを充填した筒型の風船を装着しているので、凧を揚げるために走る必要がない。
（ハ）凧の上部にヘリウムガスなどを充填した筒型の風船を装着しているので、幼児でも凧揚げが容易である。
（ニ）凧の上部にヘリウムガスなどを充填した筒型の風船を装着しているので、凧糸が短くても凧は簡単に揚がる。
【発明を実施するための最良の形態】
【０００６】以下、本発明の実施の形態について説明する。
（イ）ゴムやアルミホイールで造られた円筒型の風船に空気より軽いヘリウムガスなどを充填する。
（ロ）この風船を凧の上部に装着する。
【図面の簡単な説明】
【０００７】
【図１】  本発明の斜視図
【符号の説明】
【０００８】  １  風船
２  凧
３  凧糸
４  張り糸
５  骨
【図１】
2008018210.tif 000003
(57)【要約】      （修正有）【課題】合成樹脂の綱目シートをミトンの形状にした食器類の洗浄具を提供する。【解決手段】合成樹脂の綱目シートをミトンの形状とし、ミトン本体１の外周にやや固目の合成樹脂の綱目シートで複数のひだ３を有するフリル２を設ける。【選択図】図１
2008018201.tif 000002
【特許請求の範囲】
【請求項１】
合成樹脂の綱目シートをミトンの形状とし、ミトン本体の外周にやや固めの合成樹脂の綱目シートで複数のひだを有するフリルを設けたことを特徴とする食器類の洗浄具。
【発明の詳細な説明】
【技術分野】
【０００１】  本発明は、合成樹脂の綱目シートをミトンの形状とし、ミトン本体の外周に洗浄面とするために、やや固めの合成樹脂の綱目シートで複数のひだを有するフリルを設けた食器類の洗浄具に関するものである。
【背景技術】
【０００２】  従来、食器等の洗浄具で、手袋形状やミトン形状とする洗浄具があった（特許文献１参照）。
【特許文献】実開６０−１２３１７１号公報
【発明の開示】
【発明が解決しようとする課題】
【０００３】  そのために、次のような問題点があった。
洗浄する際に、コップの底や皿、茶わんの糸尻等のすみずみまできれいに洗浄することができなかった。
本発明は、これらの問題点を解決するためになされたものである。
【課題を解決するための手段】
【０００４】  合成樹脂の綱目シートをミトンの形状とし、ミトン本体の外周にやや固めの合成樹脂の綱目シートで複数のひだを有するフリルを設ける。
以上を特徴とする食器類の洗浄具である。
【発明の効果】
【０００５】  ミトン本体と外周のフリルのひだや先端をコップや皿、茶わんの糸尻等に当てて洗浄することができるため、すみずみまできれいに洗浄することができる。
【発明を実施するための最良の形態】
【０００６】  以下、本発明の形態について説明する。
（イ）合成樹脂の綱目シートをミトンの形状とし、ミトン本体（１）とする。
ミトン本体（１）を親指の挿入部（１ａ）と４本指の挿入部（１ｂ）と区分わけする。
（ロ）ミトン本体（１）の外周に、やや固めの合成樹脂の綱目シートからなるフリル（２）を設ける。
（ハ）フリル（２）には、洗浄面を多くするための複数のひだ（３）を設ける。
（ニ）フリル（２）の外周の先端を先端部（４）とする。
（ホ）ミトン本体（１）の下部の端に吊部（５）を設ける。
本発明は、以上のような構成である。
これを使用するときは、ミトン本体（１）の親指の挿入部（１ａ）と４本指の挿入部（１ｂ）に、それぞれの指を入れて洗浄するのであるが片方の手で皿（６）をもち、ミトン本体で皿（６）の内側（６ａ）と外側（６ｂ）をもって同時に両側を洗浄することができる。
また、皿（６）の糸尻（６ｃ）を洗浄するときは、固めの合成樹脂の綱目シートからなるフリル（２）の複数のひだ（３）や外周の先端部（４）をあてて洗浄することによって、すみずみまできれいに洗浄することができる。
また、コップ等が深くてミトン本体（１）やフリル（２）ひだ（３）先端部（４）が底までとどかない場合は、ミトン本体（１）を手から外してコップの中におしこみ手でおしまわすときれいに底も洗浄することができる。
また、スプーン箸なども洗浄しやすく、使用後は吊るしておくための吊り部（５）を設ける。
【図面の簡単な説明】
【０００７】
【図１】  本発明の正面図である。
【図２】  本発明の縦断面図である。
【図３】  本発明の使用状態を示した要部の断面図である。
【符号の説明】
【０００８】    １    ミトン本体
１ａ  親指挿入部
１ｂ  ４夲指挿入部
２    フリル
３    ひだ
４    先端部
５    吊部
６    皿
６ａ  内側
６ｂ  外側
６ｃ  糸尻
【図１】
2008018201.tif 000003
【図２】
2008018201.tif 000004
【図３】
2008018201.tif 000005
(57)【要約】【課題】  ダ−モスコ−プは、局所の皮膚表面の観察デバイスである。従来のダ−モスコ−プは、目視で観察するタイプ（１）と、専用内蔵撮影デバイス、専用モニタ−を使用するタイプ（２）とがあり、（１）では撮影デバイスの装着が困難あるいは不可で、（２）では撮影デバイスの置換が困難あるいは不可で、高価という問題点がある。またいずれも内部に照明装置がなければ見えないという問題点がある。【解決手段】市販のカメラ、ビデオカメラ等の撮影デバイスと市販マクロレンズとスペ−サ−を組み合わせる。スペ−サ−はアクリル製で中空構造、円筒部分と平板よりなり、強固で安定した構造となっている。外部より採光可能で、皮膚表面に密着させ、容易に観察可能。【選択図】図１
2008018207.tif 000002
【特許請求の範囲】
【請求項１】
カメラ、ビデオカメラ等の撮影デバイスとマクロレンズとスペ−サ−を組み合わせたダ−モスコ−プ
【請求項２】
スペ−サ−には一定の長さで固定できる強固な透過性のある素材の円筒を用いることを特徴とする請求項１記載のダ−モスコ−プ
【発明の詳細な説明】
【技術分野】
【０００１】  この発明は、ダ−モスコ−プの構造に関する。
【背景技術】
【０００２】  ダ−モスコ−プは、局所の皮膚表面の観察デバイスである。従来のダ−モスコ−プは、直接目視で観察するタイプ（１）あるいは、内蔵撮影デバイスにより撮影しモニタ−で観察するタイプ（２）とがある。撮影面（観察面）に比較的近い位置にレンズを配してあり、皮膚表面観察のため内部に照明装置がある。
【非特許文献】カラ−アトラスｄｅｒｍｏｓｃｏｐｙ金原出版  ２００３年  Ｐ５〜Ｐ９
【発明の開示】
【発明が解決しようとする課題】
【０００３】  しかしながら以上の技術では、（１）の場合、撮影デバイスの取り付けが困難あるいは不可、（２）の場合、撮影デバイスの置換が困難あるいは不可で、一般に高価、という問題点がある。（１）（２）とも内部の照明装置が不可欠で構造上複雑となる。
そこで、この発明は、市販のカメラ、ビデオカメラを撮影デバイスとして利用し、良好な静止画、動画を映し出すこと、内部の照明装置を不要とすることを課題とする。
【課題を解決するための手段】
【０００４】  以上の課題を解決するために、第一発明は、市販のカメラ、ビデオカメラ等の撮影デバイスと市販マクロレンズとスペ−サ−を組み合わせることを特徴とする。
また第二発明は、スペ−サ−には一定の長さで固定できる強固な透過性のある素材の円筒を用いるを使用することを特徴とする。
【発明の効果】
【０００５】  市販のカメラ、ビデオカメラを撮影デバイスとして利用するため、安価で良好な画像が得られ、必要に応じて撮影デバイス機材の交換が可能である。特にビデオカメラを用いれば、コンピュ−タ−にデジタル接続することで、撮影状態をコンピュ−タ−画面上でモニタ−できる。
強固で光透過性を有するスペ−サ−を用いることて焦点距離を一定に保ち安定した画像が得られ、内部の照明装置によらず、外部から自在に光量を調整でき、明瞭な画像が得られる。
きわめてシンプルな構造で、安価かつ、利便性が高い。
【発明を実施するための最良の形態】
【０００６】  この発明の−実形態を、図１、図２に示す。
撮影デバイス（１）として市販のカメラ、ビデオカメラ等を用い、その先端に市販マクロレンズ（２）を装着、さらにその先端にスペ−サ−を装着し、先端にゼリ−を塗布し皮膚面に接触させ、皮膚表面を観察する。
スペ−サ−は中空の円筒構造部分（３）と、さらにその先端の円板（４）により構成される。
（１）と（２）はアダプタ等で固定、（２）と（３）はテ−プ等で固定、（３）と（４）は接着剤等で固着させる。
（３）の円筒の長さは、実際に装着したとき、撮影デバイスが被写体に焦点を合わせることのできる長さとする。（３）（４）とも素材はアクリルとした。【０００７】「実施形態の効果」
この実施形態によれば、撮影デバイスを皮膚に良好な圧、角度で安定して接触させることができ、周囲の光源により、撮影面に十分な光量が到達する。【０００８】「他の実施形態」
図１の実施形態では、３の素材はアクリル、形状は円筒であったが、他の実施形態では、素材はガラス等透過性のある素材、あるいは窓あき構造でもよい。形状は、一定の距離で固定できるものであれば円筒に限らない。４の素材はアクリル、形状は円板であったがも、ガラス等透過性のある素材でもよく、実測のための目盛りを配してもよい。３と４が一体形成されたもの、２，３，４が一体形成されたものでもよい。マクロレンズは市販品を用いたが他の実施形態では市販品でなくともよい。
【図面の簡単な説明】
【０００９】
【図１】この発明の一実施形態を示す斜視図である。
【符号の説明】
【００１０】１  市販撮影デバイス    ２  市販接写レンズ    ３  アクリル円筒（中空円筒）
４  アクリル板（円板）
【図１】
2008018207.tif 000003